(57)【要約】【課題】調光用光変調装置からの照明光の広がりを考慮した制御を行う画像表示装置を提供する。【解決手段】画像表示装置（プロジェクター１）は、複数の表示画素を有し、入力される第１の画像情報に基づいて光を変調する第１の光変調装置（表示用液晶ライトバルブ１７Ｒ１，１７Ｇ１，１７Ｂ１）と、複数の調光要素を有し、調光された光を第１の光変調装置へ射出する照明部（光源１１，調光用液晶ライトバルブ１７Ｒ２，１７Ｇ２，１７Ｂ２）と、調光要素から射出された光が、第１の光変調装置の表示画素を照明する照明範囲を記憶する照明分布記憶部４１と、照明分布記憶部４１に記憶された照明範囲の表示画素に対応する第１の画像情報の特徴量に基づいて、照明部の調光要素を制御するための調光情報を決定する調光情報決定部４２と、を備える。【選択図】図２
2015055815.tif 000002
【特許請求の範囲】
【請求項１】
複数の表示画素を有し、入力される第１の画像情報に基づいて光を変調する第１の光変調装置と、
複数の調光要素を有し、調光された光を前記第１の光変調装置へ射出する照明部と、
前記調光要素から射出された光が、前記第１の光変調装置の表示画素を照明する照明範囲を記憶する照明分布記憶部と、
前記照明分布記憶部に記憶された前記照明範囲の表示画素に対応する前記第１の画像情報の特徴量に基づいて、前記照明部の前記調光要素を制御するための調光情報を決定する調光情報決定部と、
を備えることを特徴とする画像表示装置。
【請求項２】
請求項１に記載の画像表示装置であって、
前記照明分布記憶部は、前記調光要素から射出された光が、前記第１の光変調装置の表示画素を照明する照明強度の分布情報をさらに記憶し、
前記照明部の前記調光情報と前記照明強度の分布情報とに基づいて、前記第１の光変調装置の前記表示画素毎に到達する光の照明値を算出する照明値算出部と、
前記照明値算出部によって算出された前記照明値と前記第１の画像情報とに基づいて、前記第１の光変調装置に設定するための第２の画像情報を生成する画像情報生成部と、
をさらに備えることを特徴とする画像表示装置。
【請求項３】
請求項２に記載の画像表示装置であって、
前記画像情報生成部において、前記第１の画像情報の画素値を前記照明値で除した値を前記第２の画像情報の画素値とすることを特徴とする画像表示装置。
【請求項４】
請求項１乃至３のいずれか一項に記載の画像表示装置であって、
前記調光情報決定部における前記第１の画像情報の前記特徴量は、前記照明範囲における前記第１の画像情報の画素値の最大値とすることを特徴とする画像表示装置。
【請求項５】
光を変調する第１の光変調装置と、
複数の調光要素を有し、調光された光を前記第１の光変調装置へ射出する照明部と、
第１の画像情報に基づいて、前記第１の光変調装置および照明部を制御する光変調制御部と、
を備え、
前記複数の調光要素が、前記第１の光変調装置上でそれぞれの照明範囲を照明し、
前記それぞれの照明範囲は、隣り合う前記照明範囲の一部と重なっており、
前記第１の画像情報が、前記照明範囲が重なる領域内の少なくとも一部領域の階調として、１フレーム期間または１サブフレーム期間における最大階調を表す場合に、前記光変調制御部は、前記一部領域を共通に照明する前記調光要素が、前記複数の調光要素のうちで、最大階調で前記光を射出するように、前記照明部を制御することを特徴とする画像表示装置。
【請求項６】
複数の表示画素を有し、入力される第１の画像情報に基づいて光を変調する第１の光変調装置と、複数の調光要素を有し、調光された光を前記第１の光変調装置へ射出する照明部と、前記調光要素から射出された光が、前記第１の光変調装置の表示画素を照明する照明範囲を記憶する照明分布記憶部と、を有する画像表示装置の制御方法であって、
前記照明分布記憶部に記憶された前記照明範囲の表示画素に対応する前記第１の画像情報の特徴量に基づいて、前記照明部の前記調光要素を制御するための調光情報を決定する調光情報決定ステップ、を備えることを特徴とする画像表示装置の制御方法。
【請求項７】
請求項６に記載の画像表示装置の制御方法であって、
前記照明分布記憶部は、前記調光要素から射出された光が、前記第１の光変調装置の表示画素を照明する照明強度の分布情報をさらに記憶し、
前記照明部の前記調光情報と前記照明強度の分布情報とに基づいて、前記第１の光変調装置の前記表示画素毎に到達する光の照明値を算出する照明値算出ステップと、
前記照明値算出ステップによって算出された前記照明値と前記第１の画像情報とに基づいて、前記第１の光変調装置に設定するための第２の画像情報を生成する画像情報生成ステップと、
をさらに備えることを特徴とする画像表示装置の制御方法。
【発明の詳細な説明】
【技術分野】
【０００１】
本発明は、画像表示装置、および画像表示装置の制御方法に関する。
【背景技術】
【０００２】
従来、光源と、光源からの光を変調するように設けられた第１の空間光変調器と、第２の空間光変調器を備える表示スクリーンと、第１の空間光変調器によって変調された光を表示スクリーンの第１の面上に投影するように構成された光学系とを備える表示装置が提供されている（例えば、特許文献１）。このような表示装置では、広いダイナミックレンジで高コントラストの画像を表示することが可能になる。
【先行技術文献】
【特許文献】
【０００３】
【特許文献１】特表２００４−５２３００１号公報
【発明の概要】
【発明が解決しようとする課題】
【０００４】
しかしながら、特許文献１に記載の表示装置では、第１の空間光変調器に第２の空間光変調器を対応付けて調光しても、対応付けられた画素の周辺の画素への照明の影響が発生する。つまり、第１の空間光変調器から射出される照明光の広がりによって、第２の空間光変調器の周辺の画素も照明されるため、所望の画像を出力できない場合がある。例えば、第２の空間光変調器から射出される画像光の明るさが低下する場合がある。よって、第１の空間光変調器からの照明光の広がりを考慮した制御が必要であった。なお、以降は、「空間光変調器」を「光変調装置」と呼ぶ。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、複数の表示画素を有し、入力される第１の画像情報に基づいて光を変調する第１の光変調装置と、複数の調光要素を有し、調光された光を前記第１の光変調装置へ射出する照明部と、前記調光要素から射出された光が、前記第１の光変調装置の表示画素を照明する照明範囲を記憶する照明分布記憶部と、前記照明分布記憶部に記憶された前記照明範囲の表示画素に対応する前記第１の画像情報の特徴量に基づいて、前記照明部の前記調光要素を制御するための調光情報を決定する調光情報決定部と、を備えることを特徴とする。
【０００７】
このような画像表示装置によれば、表示画素を有する第１の光変調装置と、調光要素を有する照明部とを備える。調光情報決定部は、調光要素によって調光された光が照明する第１の光変調装置の照明範囲の表示画素に対応する第１の画像情報の特徴量に基づいて、照明部の調光要素を制御するための調光情報を決定する。これにより、照明部は、照明光の照明範囲に対応する第１の画素情報の特徴量を考慮した調光を行うことができる。
【０００８】
［適用例２］上記適用例に係る画像表示装置において、前記照明分布記憶部は、前記調光要素から射出された光が、前記第１の光変調装置の表示画素を照明する照明強度の分布情報をさらに記憶し、前記照明部の前記調光情報と前記照明強度の分布情報とに基づいて、前記第１の光変調装置の前記表示画素毎に到達する光の照明値を算出する照明値算出部と、前記照明値算出部によって算出された前記照明値と前記第１の画像情報とに基づいて、前記第１の光変調装置に設定するための第２の画像情報を生成する画像情報生成部と、
をさらに備えることを特徴とする。
【０００９】
このような画像表示装置によれば、照明値算出部は、調光情報と照明強度の分布情報とに基づいて、第１の光変調装置の表示画素毎に到達する光の照明値を算出する。画像情報生成部は、照明値と第１の画像情報とに基づいて、第１の光変調装置に設定するための第２の画像情報を生成する。これにより、照明部からの照明光を考慮して、第１の光変調装置に設定する第２の画像情報を生成することができる。つまり、表示画素に設定する画素情報（画素値）の生成を行うことが可能になる。
【００１０】
［適用例３］上記適用例に係る画像表示装置において、前記画像情報生成部において、前記第１の画像情報の画素値を前記照明値で除した値を前記第２の画像情報の画素値とすることを特徴とする。
【００１１】
このような画像表示装置によれば、第１の画像情報を照明値で除した値を第２の画像情報とする。これにより、照明部の調光による明るさ制御を考慮しつつ、第２の画像情報においても、第１の画像情報の明るさをほぼ同等に維持することが可能になる。
【００１２】
［適用例４］上記適用例に係る画像表示装置において、前記調光情報決定部における前記第１の画像情報の前記特徴量は、前記照明範囲における前記第１の画像情報の画素値の最大値とすることを特徴とする。
【００１３】
このような画像表示装置によれば、第１の画像情報の特徴量は、照明範囲における第１の画像情報の画素値の最大値とする。これにより、第１の光変調装置の表示画素が照明される照明値の明るさの低下を抑制することが可能となり、入力された第１の画像情報の明るさをほぼ再現可能な調光制御を行うことができる。
【００１４】
［適用例５］本適用例に係る画像表示装置は、光を変調する第１の光変調装置と、複数の調光要素を有し、調光された光を前記第１の光変調装置へ射出する照明部と、第１の画像情報に基づいて、前記第１の光変調装置および照明部を制御する光変調制御部と、を備え、前記複数の調光要素が、前記第１の光変調装置上でそれぞれの照明範囲を照明し、前記それぞれの照明範囲は、隣り合う前記照明範囲の一部と重なっており、前記第１の画像情報が、前記照明範囲が重なる領域内の少なくとも一部領域の階調として、１フレーム期間または１サブフレーム期間における最大階調を表す場合に、前記光変調制御部は、前記一部領域を共通に照明する前記調光要素が、前記複数の調光要素のうちで、最大階調で前記光を射出するように、前記照明部を制御することを特徴とする。
【００１５】
このような画像表示装置によれば、複数の調光要素が、第１の光変調装置上でそれぞれの照明範囲を照明し、それぞれの照明範囲は、隣り合う照明範囲の一部と重なっており、第１の画像情報が、照明範囲が重なる領域内の少なくとも一部領域の階調として、１フレーム期間または１サブフレーム期間における最大階調を表す場合に、光変調制御部は、一部領域を共通に照明する調光要素が、複数の調光要素のうちで、最大階調で光を射出するように、照明部を制御する。これにより、最大階調の表示画素を最大階調で照明することが可能になる。
【００１６】
［適用例６］本適用例に係る画像表示装置の制御方法は、複数の表示画素を有し、入力される第１の画像情報に基づいて光を変調する第１の光変調装置と、複数の調光要素を有し、調光された光を前記第１の光変調装置へ射出する照明部と、前記調光要素から射出された光が、前記第１の光変調装置の表示画素を照明する照明範囲を記憶する照明分布記憶部と、を有する画像表示装置の制御方法であって、前記照明分布記憶部に記憶された前記照明範囲の表示画素に対応する前記第１の画像情報の特徴量に基づいて、前記照明部の前記調光要素を制御するための調光情報を決定する調光情報決定ステップ、を備えることを特徴とする。
【００１７】
このような画像表示装置の制御方法によれば、照明部は、照明光の照明範囲に対応する第１の画素情報の特徴量を考慮した調光を行うことができる。
【００１８】
［適用例７］上記適用例に係る画像表示装置の制御方法において、前記照明分布記憶部は、前記調光要素から射出された光が、前記第１の光変調装置の表示画素を照明する照明強度の分布情報をさらに記憶し、前記照明部の前記調光情報と前記照明強度の分布情報とに基づいて、前記第１の光変調装置の前記表示画素毎に到達する光の照明値を算出する照明値算出ステップと、前記照明値算出ステップによって算出された前記照明値と前記第１の画像情報とに基づいて、前記第１の光変調装置に設定するための第２の画像情報を生成する画像情報生成ステップと、をさらに備えることを特徴とする。
【００１９】
このような画像表示装置の制御方法によれば、照明部からの照明光を考慮して、第１の光変調装置に設定する第２の画像情報を生成することができる。つまり、表示画素に設定する画素情報（画素値）の生成を行うことが可能になる。
【００２０】
また、上述した画像表示装置、および画像表示装置の制御方法が、画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２１】
【図１】実施形態のプロジェクターの光学ユニットを示す概略構成図。
【図２】実施形態に係るプロジェクターの概略構成を示すブロック図。
【図３】調光用液晶ライトバルブおよび表示用液晶ライトバルブの配置を表す斜視図。
【図４】調光用液晶ライトバルブおよび表示用液晶ライトバルブの正面図であり、（ａ）は、調光用液晶ライトバルブの正面図、（ｂ）は、表示用液晶ライトバルブの正面図。
【図５】表示用液晶ライトバルブの照明範囲における強度分布の説明図。
【図６】プロジェクターのライトバルブ制御部が行う処理のフローチャート。
【図７】ＬＥＤアレイの斜視図。
【発明を実施するための形態】
【００２２】
（実施形態）
以下、画像表示装置の実施形態として、光源から射出された光を画像情報（画像信号）に基づいて変調し、この変調された光を外部のスクリーン等に投写して画像を表示するプロジェクターについて、図面を参照して説明する。
【００２３】
図１は、実施形態のプロジェクターの光学ユニットを示す概略構成図である。
図１に示すように、プロジェクター１は、光源装置１１、フライアイレンズ（均一照明手段）１２ａ，１２ｂ、偏光変換装置１３、ダイクロイックミラー（色分離手段）１４ａ，１４ｂ、反射ミラー１５ａ，１５ｂ，１５ｃ、第２の光変調装置としての調光用液晶ライトバルブ１７Ｒ２，１７Ｇ２，１７Ｂ２、第１の光変調装置としての表示用液晶ライトバルブ１７Ｒ１，１７Ｇ１，１７Ｂ１，クロスダイクロイックプリズム１８、投写レンズ（投写手段）１９等を備えている。
【００２４】
本実施形態における照明光学系は、光源装置１１とフライアイレンズ１２ａ，１２ｂと偏光変換装置１３とから構成されている。光源装置１１は、高圧水銀ランプ等の光源ランプ１１ａと光源ランプ１１ａの光を反射するリフレクター１１ｂとを有して構成されている。また、光源光の照度分布を被照明領域である液晶ライトバルブ１７Ｒ，１７Ｇ，１７Ｂにおいて均一化させるための均一照明手段として、光源装置１１側から第１フライアイレンズ１２ａ、第２フライアイレンズ１２ｂが順次設置されている。各フライアイレンズ１２ａ，１２ｂは、複数のレンズから構成されており、光源装置１１から射出された光の照度分布を被照明領域である液晶ライトバルブにおいて均一化させるための均一照明手段として機能する。この光源装置１１からの射出光は均一照明手段から偏光変換装置１３に射出される。
【００２５】
偏光変換装置１３は、均一照明手段側に設けられた偏光ビームスプリッタアレイ（ＰＢＳアレイ）と、ダイクロイックミラー１４ａ側に設けられた１／２波長板アレイとから構成されている。この偏光変換装置１３は、上記均一照明手段とダイクロイックミラー１４ａとの間に設けられている。
【００２６】
光源装置１１の後段の構成を以下、各構成要素の作用とともに説明する。青色光・緑色光反射のダイクロイックミラー１４ａは、光源装置１１からの光束のうちの赤色光ＬＲを透過させるとともに、青色光ＬＢと緑色光ＬＧとを反射させるものである。ダイクロイックミラー１４ａを透過した赤色光ＬＲは反射ミラー１５ｃで反射され、赤色光調光用液晶ライトバルブ１７Ｒ２に入射し、ここで強度（光量）が調節された後、赤色光表示用液晶ライトバルブ１７Ｒ１に入射される。上記赤色光調光用液晶ライトバルブ１７Ｒ２は、ダイクロイックミラー１４ａの側方に配置された反射ミラー１５ｃと赤色光表示用液晶ライトバルブ１７Ｒ１との間に配置されている。
【００２７】
一方、ダイクロイックミラー１４ａで反射した色光のうち、緑色光ＬＧは緑色光反射用のダイクロイックミラー１４ｂによって反射され、緑色光調光用液晶ライトバルブ１７Ｇ２に入射し、ここで強度（光量）が調節された後、緑色光表示用液晶ライトバルブ１７Ｇ１に入射される。上記緑色光調光用液晶ライトバルブ１７Ｇ２は、ダイクロイックミラー１４ａの側方に配置されたダイクロイックミラー１４ｂと緑色光表示用液晶ライトバルブ１７Ｇ１との間に配置されている。一方、青色光ＬＢはダイクロイックミラー１４ｂも透過し、リレーレンズ１６ａ、反射ミラー１５ａ、リレーレンズ１６ｂ、反射ミラー１５ｂ、リレーレンズ１６ｃからなるリレー系Ｒ１を経て、青色光調光用液晶ライトバルブ１７Ｂ２に入射し、ここで強度（光量）が調節された後、青色光表示用液晶ライトバルブ１７Ｂ１に入射される。上記青色光調光用液晶ライトバルブ１７Ｂ２は、ダイクロイックミラー１４ｂの側方に配置されたリレーレンズ１６ｃと青色光表示用液晶ライトバルブ１７Ｂ１との間に配置されている。
【００２８】
本実施形態では、上述した調光用液晶ライトバルブと表示用液晶ライトバルブとは、所定の距離を設けて配置されている。
【００２９】
上記の調光用液晶ライトバルブは、一対のガラス基板（光透過性基板）間に液晶層が挟持され、これら一対のガラス基板の液晶層側の面にそれぞれ光透過性電極が形成され、さらにこれら光透過性電極の液晶層側の面に配向膜がそれぞれ形成されてなる液晶パネルと、この液晶パネルの両側に積層された偏光板から概略構成されている。
【００３０】
赤色光調光用液晶ライトバルブ１７Ｒ２は、後述する調光液晶駆動部１１０ｂからの駆動信号を受けて光透過性電極に電圧を印加する際、印加する電圧の大きさを変更すると、透過率が０％に近い値〜１００％の範囲で透過率を自由に変更することができる。このように透過率を０％に近い値〜１００％の範囲で変更することで、赤色光調光用液晶ライトバルブ１７Ｒ２から射出される赤色光ＬＲの強度（光量）を変更できるので、映像に応じて印加する電圧を低くして、透過率が高くなるようにすることにより赤色光ＬＲの強度（光量）が大きくなるようにし、あるいは印加する電圧を高くして、透過率が低くなるようにすることにより赤色光ＬＲの強度（光量）が小さくなるようにすることで、赤色光ＬＲの強度（光量）がこの赤色光調光用液晶ライトバルブ１７Ｒ２で調節される。
【００３１】
緑色光調光用液晶ライトバルブ１７Ｇ２は、後述する調光液晶駆動部１１０ｂからの駆動信号を受けて光透過性電極に電圧を印加する際、印加する電圧の大きさを変更すると、透過率が０％に近い値〜１００％の範囲で透過率を自由に変更することができる。このように透過率を０％に近い値〜１００％の範囲で変更することで、緑色光調光用液晶ライトバルブ１７Ｇ２から射出される緑色光ＬＧの強度（光量）を変更できるので緑色光ＬＧの強度（光量）がこの緑色光調光用液晶ライトバルブ１７Ｇ２で調節される。
【００３２】
青色光調光用液晶ライトバルブ１７Ｂ２は、後述する調光液晶駆動部１１０ｂからの駆動信号を受けて光透過性電極に電圧を印加する際、印加する電圧の大きさを変更すると、透過率が０％に近い値〜１００％の範囲で透過率を自由に変更することができる。このように透過率を０％に近い値〜１００％の範囲で変更することで、青色光調光用液晶ライトバルブ１７Ｂ２から射出される青色光ＬＢの強度（光量）を変更できるので青色光ＬＢの強度（光量）がこの青色光調光用液晶ライトバルブ１７Ｂ２で調節される。
【００３３】
各表示用液晶ライトバルブ１７Ｒ１，１７Ｇ１，１７Ｂ１によって変調された３つの色光は、クロスダイクロイックプリズム１８に入射される。このプリズムは４つの直角プリズムが貼り合わされ、その内面に赤色光を反射する誘電体多層膜と青色光を反射する誘電体多層膜とが十字状に形成されている。これらの誘電体多層膜によって３つの色光が合成されてカラー画像を表す光が形成される。合成された光は投写光学系である投写レンズ１９によりスクリーン等の投写面ＳＣ上に投写され、拡大された画像が表示される。
【００３４】
なお、プロジェクター１は、複数の調光要素を有し、それぞれの調光要素から射出される光の光量を独立して制御することが可能な「照明部」を含む。本実施形態においては、照明部は、光源装置１１および調光用液晶ライトバルブを含む。照明部が有する「調光要素」は、調光要素から照明対象である他の光学要素へ入射する光の光量を調整することが可能である。また照明部は、複数の調光要素のそれぞれから射出される光の光量を独立して制御することも可能である。本実施形態においては、調光用液晶ライトバルブ１７Ｒ２，１７Ｇ２，１７Ｂ２が有する調光画素が調光要素に相当する。
【００３５】
次に、本実施形態のプロジェクター１の制御について説明する。
調光機能を持たない従来のプロジェクターの場合、入力された画像情報（映像信号）は適当な補正処理を経て、そのまま液晶駆動部（液晶パネルドライバー）に供給される。しかし、本実施形態のように調光機能を有するプロジェクターの場合、画像情報に基づいて各色光強度を制御する必要がある。
【００３６】
図２は、本実施形態に係るプロジェクター１の概略構成を示すブロック図である。
図２に示すように、プロジェクター１は、表示部としての画像投写部１０、制御部２０、操作受付部２１、画像情報入力部３１、画像処理部３２、ライトバルブ制御部４０等を備えている。
【００３７】
画像投写部１０は、光源装置１１、３つの表示用液晶ライトバルブ１７Ｒ１，１７Ｇ１，１７Ｂ１、３つの調光用液晶ライトバルブ１７Ｒ２，１７Ｇ２，１７Ｂ２、投写光学系としての投写レンズ１９、表示液晶駆動部１１０ａ、調光液晶駆動部１１０ｂ等で構成されている。なお、表示用液晶ライトバルブ１７Ｒ１，１７Ｇ１，１７Ｂ１、および、調光用液晶ライトバルブ１７Ｒ２，１７Ｇ２，１７Ｂ２を総称して、液晶ライトバルブ部１７とも呼ぶ。
【００３８】
画像投写部１０は、光源装置１１から射出された光を、調光用液晶ライトバルブ１７Ｒ２，１７Ｇ２，１７Ｂ２で光量を調節し、表示用液晶ライトバルブ１７Ｒ１，１７Ｇ１，１７Ｂ１で画像光に変調し、この画像光を投写レンズ１９から投写して、投写面ＳＣに画像として表示する。
【００３９】
光源装置１１から射出された光は、フライアイレンズ１２ａ，１２ｂ等のインテグレーター光学系によって輝度分布が略均一な光に変換され、ダイクロイックミラー１４ａ，１４ｂ等の色分離光学系によって光の３原色である赤色（Ｒ）、緑色（Ｇ）、青色（Ｂ）の各色光成分に分離された後、それぞれ表示用液晶ライトバルブ１７Ｒ１，１７Ｇ１，１７Ｂ１、および、調光用液晶ライトバルブ１７Ｒ２，１７Ｇ２，１７Ｂ２に入射する。
【００４０】
表示用液晶ライトバルブ１７Ｒ１，１７Ｇ１，１７Ｂ１、および、調光用液晶ライトバルブ１７Ｒ２，１７Ｇ２，１７Ｂ２は、一対の透明基板間に液晶が封入された液晶パネル等によって構成される。表示用液晶ライトバルブ１７Ｒ１，１７Ｇ１，１７Ｂ１、および、調光用液晶ライトバルブ１７Ｒ２，１７Ｇ２，１７Ｂ２は、それぞれ、複数の表示画素、および、複数の調光画素（調光要素）がマトリクス状に配列された矩形状の画素領域を備えており、液晶に対して画素毎に駆動電圧を印加可能になっている。
【００４１】
調光液晶駆動部１１０ｂが、調光画素値（調光量）に応じた駆動電圧を各調光画素に印加すると、各調光画素は、調光画素値に応じた光透過率に設定される。このため、光源装置１１から射出された光は、調光用液晶ライトバルブ１７Ｒ２，１７Ｇ２，１７Ｂ２の画素領域を透過することによって光量が調節され、調光量に応じた光として出力される。調光用液晶ライトバルブ１７Ｒ２，１７Ｇ２，１７Ｂ２から出力された光は、表示用液晶ライトバルブ１７Ｒ１，１７Ｇ１，１７Ｂ１をそれぞれ照明する。
【００４２】
表示液晶駆動部１１０ａが、画像情報に応じた駆動電圧を各表示画素に印加すると、各表示画素は、画像情報に応じた光透過率に設定される。このため、調光用液晶ライトバルブ１７Ｒ２，１７Ｇ２，１７Ｂ２から射出された光は、表示用液晶ライトバルブ１７Ｒ１，１７Ｇ１，１７Ｂ１の画素領域を透過することによって変調され、画像情報に応じた画像光が色光毎に形成される。形成された各色の画像光は、色合成光学系（図２では図示せず）によって画素毎に合成されてカラーの画像光となった後、投写レンズ１９によって拡大投写される。
【００４３】
制御部２０は、ＣＰＵ（Central Processing Unit）や、各種データ等の一時記憶に用いられるＲＡＭ、不揮発性のＲＯＭ等を備えており、ＲＯＭに記憶されている制御プログラムに従ってＣＰＵが動作することによりプロジェクター１の動作を統括制御する。つまり、制御部２０は、コンピューターとして機能する。
【００４４】
操作受付部２１は、ユーザーがプロジェクター１に対して各種指示を行うための複数の操作キーを備えている。本実施形態の操作受付部２１が備える操作キーとしては、電源のオン・オフを切り替えるための電源キー、入力された映像信号を切り替えるための入力切替キー、各種設定用のメニュー画像を表示させるメニューキー、メニュー画像における項目の選択等に用いられる方向キー、選択した項目を確定させるための決定キー等がある。
【００４５】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００４６】
画像情報入力部３１は、複数の入力端子を備えており、これらの入力端子には、ビデオ再生装置やパーソナルコンピューター等、図示しない外部の画像供給装置から各種形式の画像情報が入力される。制御部２０からの指示に基づき、画像情報入力部３１は画像情報を選択し、選択した画像情報を画像処理部３２に出力する。この画像情報が、第１の画像情報に相当する。
【００４７】
画像処理部３２は、画像情報入力部３１から入力される画像情報を、各表示画素の階調を表す画像情報に変換する。さらに、画像処理部３２は、制御部２０の指示に基づいて、変換した画像情報に対して、明るさ、コントラスト、シャープネス、色合い等の画質を調整するための画質調整処理等を行う。また、画像処理部３２は、メニュー画像等のＯＳＤ（オンスクリーンディスプレイ）画像を、入力画像に重畳することもできる。そして、画像処理部３２は、処理した画像情報を、ライトバルブ制御部４０の調光情報決定部４２、および、画像情報生成部４４に出力する。
【００４８】
ライトバルブ制御部４０は、照明分布記憶部４１、調光情報決定部４２、照明値算出部４３，画像情報生成部４４等を有して構成されている。ライトバルブ制御部４０が、光変調制御部に相当する。
【００４９】
照明分布記憶部４１は、不揮発性メモリーを有して構成される。照明分布記憶部４１は、調光用液晶ライトバルブ１７Ｒ２，１７Ｇ２，１７Ｂ２の各調光画素から射出された光が、それぞれ、表示用液晶ライトバルブ１７Ｒ１，１７Ｇ１，１７Ｂ１を照明する照明範囲、および、強度分布を記憶する。記憶形態としては、ＬＵＴ（ルックアップテーブル）としてもよいし、関数として記憶してもよい。ここで、強度分布が、照明強度の分布情報に相当する。
【００５０】
照明範囲および強度分布は、調光用液晶ライトバルブと表示用液晶ライトバルブとの設置関係によって定まる。なお、照明範囲および強度分布の情報は、調光用液晶ライトバルブと表示用液晶ライトバルブとの設置関係によって、色光毎に記憶されていてもよい。また、色光毎の設置関係が同様であれば、１種類として記憶されていてもよい。
【００５１】
ここで、照明範囲および強度分布について説明する。
図３は、調光用液晶ライトバルブ１７Ｒ２および表示用液晶ライトバルブ１７Ｒ１の配置を表す斜視図である。
図４は、調光用液晶ライトバルブ１７Ｒ２および表示用液晶ライトバルブ１７Ｒ１の正面図であり、（ａ）は、調光用液晶ライトバルブ１７Ｒ２の正面図であり、（ｂ）は、表示用液晶ライトバルブ１７Ｒ１の正面図である。
【００５２】
図３および図４では、調光用液晶ライトバルブ１７Ｒ２と表示用液晶ライトバルブ１７Ｒ１とが表されている。図示しないが、調光用液晶ライトバルブ１７Ｇ２，１７Ｂ２、および、表示用液晶ライトバルブ１７Ｇ１，１７Ｂ１も同様な構成とする。ここでは、調光用液晶ライトバルブ１７Ｒ２、および、表示用液晶ライトバルブ１７Ｒ１を用いて説明を行う。
【００５３】
本実施形態では、簡易化のために、調光用液晶ライトバルブ１７Ｒ２は、３行×４列の調光画素を有した構成としている。各調光画素の座標は、（ｍ，ｎ）として表される。また、表示用液晶ライトバルブ１７Ｒ１は、１２行×１６列の表示画素を有した構成としている。各表示画素の座標は、（ｉ，ｊ）として表される。なお、本実施形態では、調光用液晶ライトバルブ１７Ｒ２の１つの調光画素が、表示用液晶ライトバルブ１７Ｒ１の４×４の表示画素に対応したサイズとする。
【００５４】
ここで、図３および図４に示すように、調光用液晶ライトバルブ１７Ｒ２の１つの調光画素（図３では、四隅がＡ２，Ｂ２，Ｃ２，Ｄ２の斜線部）を注目調光画素Ｐ２（２，３）とする。この注目調光画素を通過した光は、注目調光画素に対応した表示用液晶ライトバルブ１７Ｒ１の４×４の表示画素（四隅がＡ１，Ｂ１，Ｃ１，Ｄ１の領域）だけでなく、その周辺にも到達する。つまり、注目調光画素を通過した光の広がりによって、周辺の表示画素も照明される。
【００５５】
本実施形態では、調光用液晶ライトバルブ１７Ｒ２の注目調光画素Ｐ２（２，３）を通過した光は、表示用液晶ライトバルブ１７Ｒ１の斜線部の領域に到達する。この斜線部の領域を照明範囲ＳＡとする。この照明範囲ＳＡは、調光用液晶ライトバルブ１７Ｒ２と表示用液晶ライトバルブ１７Ｒ１の配置関係によって定まるものであり、製品の開発時に予め測定が行われて、照明分布記憶部４１に記憶される。
【００５６】
図５は、表示用液晶ライトバルブの照明範囲ＳＡにおける強度分布の説明図である。
図５に示すように、照明範囲ＳＡの各表示画素には、照明強度Ｓが記載されている。照明強度Ｓは、中心に近いほど高く、周辺になるほど低い値となる。この照明強度Ｓは、調光用液晶ライトバルブ１７Ｒ２と表示用液晶ライトバルブ１７Ｒ１の配置関係によって定まるものであり、製品開発時に予め測定を行い、照明範囲ＳＡと共に照明分布記憶部４１に記憶される。ここで、各表示画素の照明強度Ｓは、「０」以上で「１」以下の値で表現される。
【００５７】
図２に戻り、調光情報決定部４２は、調光画素毎に、表示用液晶ライトバルブの照明範囲ＳＡの表示画素に対応する第１の画像情報の特徴量に基づいて、調光用液晶ライトバルブの調光画素の調光量を決定する。本実施形態では、特徴量は最大値とする。例えば、調光用液晶ライトバルブ１７Ｒ２の調光画素Ｐ２（２，３）については、照明範囲ＳＡに対応する第１の画像情報の最大値を、調光量（階調（画素値））とする。
【００５８】
なおプロジェクター１は、第１の画像情報に対して種々の画像処理を行う場合がある。このとき調光情報決定部４２は、種々の画像処理が行われた後の第１の画像情報に基づいて特徴量を決定しても良い。例えば、第１の画像情報の画素数が、表示用液晶ライトバルブ１７Ｒ１，１７Ｇ１，１７Ｂ１の画素数と一致しない場合、プロジェクター１は、両者の画素数が一致するように第１の画像情報に対してリサイズ処理（解像度変換処理）を行う場合がある。このような場合は、リサイズ処理が施された後の画像情報を第１の画像情報と定義しても良い。このとき調光情報決定部４２は、リサイズ処理が施された後の画像情報に基づいて特徴量を決定しても良い。
【００５９】
ここで、調光画素（ｍ，ｎ）による照明範囲ＳＡ（ｍ，ｎ）に含まれる表示画素（ｉ，ｊ）に対応する第１の画像情報の階調（画素値）を、Ｉｎ＿Ｐ１（ｉ，ｊ）とすると、下記の式（１）が成り立つものとする。
０≦Ｉｎ＿Ｐ１（ｉ，ｊ）≦１  ，  （ｉ，ｊ）∈ＳＡ（ｍ，ｎ）…  （１）
【００６０】
そして、調光画素（ｍ，ｎ）に対応する第１の画像情報の最大値（特徴量）をＦ（ｍ，ｎ）とすると、下記の式（２）が成り立つ。
Ｆ（ｍ，ｎ）＝ｍａｘ（Ｉｎ＿Ｐ１（ｉ，ｊ））  …  （２）
【００６１】
そして、下記の式（３）のように、調光画素（ｍ，ｎ）に対応する第１の画像情報の最大値（特徴量）を、調光画素（ｍ，ｎ）の調光量（画素値）Ａ（ｍ，ｎ）とする。
Ａ（ｍ，ｎ）＝Ｆ（ｍ，ｎ）  …  （３）
【００６２】
照明値算出部４３は、調光用液晶ライトバルブの調光画素の調光量（画素値）と、表示用液晶ライトバルブにおける照明強度Ｓの分布情報とに基づいて、表示用液晶ライトバルブ１７Ｒ１の表示画素毎に到達する光の照明値を算出する。
【００６３】
まず、照明値算出部４３は、調光用液晶ライトバルブの全調光画素の中から、表示用液晶ライトバルブの注目する表示画素に照明が到達する画素を抽出する。具体的には、例えば、調光用液晶ライトバルブ１７Ｒ２の各調光画素について、各調光画素を通過する光が、表示用液晶ライトバルブ１７Ｒ１に到達する照明範囲ＳＡに、注目表示画素が含まれているか否かを判定し、含まれている場合にはその調光画素を抽出する。本実施形態では、注目表示画素を（ｉ，ｊ）＝（６，１１）とすると、調光用液晶ライトバルブ１７Ｒ２のＰ２（１，２），Ｐ２（１，３），Ｐ２（１，４），Ｐ２（２，２），Ｐ２（２，３），Ｐ２（２，４），Ｐ２（３，２），Ｐ２（３，３），Ｐ２（３，４）の９つの調光画素が抽出される。
【００６４】
次に、照明値算出部４３は、調光用液晶ライトバルブ１７Ｒ２上で抽出された各調光画素によって、表示用液晶ライトバルブ１７Ｒ１の注目表示画素が照明される明るさを算出する。ここで、調光用液晶ライトバルブ１７Ｒ２の各調光画素によって、表示用液晶ライトバルブ１７Ｒ１を照明する明るさは、各調光画素の調光量Ａ（ｍ，ｎ）に照明強度Ｓの分布を乗算することで算出できる。
【００６５】
表示用液晶ライトバルブ１７Ｒ１の注目表示画素（ｉ，ｊ）が照明される明るさをＬ（ｉ，ｊ）とすると、Ｌ（ｉ，ｊ）は、上記調光用液晶ライトバルブ１７Ｒ２から抽出された９つの調光画素それぞれから注目表示画素に到達する光の総和により算出することができる。ここで、照明強度Ｓ（ｉ，ｊ，ｍ，ｎ）は、調光画素Ｐ２（ｍ，ｎ）と表示用液晶ライトバルブ１７Ｒ１の注目表示画素Ｐ１（ｉ，ｊ）の位置関係に対応した照明強度を表す。注目表示画素（ｉ，ｊ）が照明される明るさＬ（ｉ，ｊ）は、下記の式（４）で表される。
Ｌ（ｉ，ｊ）  ＝  ΣＡ（ｍ，ｎ）×Ｓ（ｉ，ｊ，ｍ，ｎ）  …  （４）
ここで、０≦Ｌ（ｉ，ｊ）≦１とする。また、ｍ，ｎ∈ＳＢ（ｉ，ｊ）とする。
ＳＢ（ｉ，ｊ）は、注目表示画素（ｉ，ｊ）を照明する調光画素（ｍ，ｎ）の集合であり、このＳＢ（ｉ，ｊ）に含まれる全ての調光画素（ｍ，ｎ）についてのΣ（シグマ）を算出する。本実施形態においては、（ｍ，ｎ）は、注目表示画素（ｉ，ｊ）＝（６，１１）を照明する、抽出された９つの調光画素Ｐ２（１，２），Ｐ２（１，３），Ｐ２（１，４），Ｐ２（２，２），Ｐ２（２，３），Ｐ２（２，４），Ｐ２（３，２），Ｐ２（３，３），Ｐ２（３，４）を表す。
【００６６】
画像情報生成部４４は、画像処理部３２から入力される第１の画像情報と、照明値算出部４３が算出した表示用液晶ライトバルブ１７Ｒ１の注目表示画素に到達する光の照明値Ｌ（ｉ，ｊ）とに基づいて、注目表示画素の画素信号、即ち第２の画像情報を算出する。ここでは、画像情報生成部４４は、注目表示画素に対応する第１の画像情報を、注目表示画素が照明される明るさで除算した値を、注目表示画素の画素信号（第２の画像情報（画素値））Ｏｕｔ＿Ｐ１（ｉ，ｊ）とする。すると、Ｏｕｔ＿Ｐ１（ｉ，ｊ）は、下記の式（５）で表される。
Ｏｕｔ＿Ｐ１（ｉ，ｊ）  ＝  Ｉｎ＿Ｐ１（ｉ，ｊ）／Ｌ（ｉ，ｊ）  …  （５）
ここで、０≦Ｏｕｔ＿Ｐ１（ｉ，ｊ）≦１とする。
【００６７】
なお、上述したように、本実施形態では、画素値や明るさ等の値は、「０」以上「１」以下の階調として表している。
【００６８】
調光液晶駆動部１１０ｂは、調光情報決定部４２から入力される調光量Ａ（ｍ，ｎ）に従って調光用液晶ライトバルブ１７Ｒ２，１７Ｇ２，１７Ｂ２を駆動し、表示液晶駆動部１１０ａは、画像情報生成部４４から入力される第２の画像情報Ｏｕｔ＿Ｐ１（ｉ，ｊ）に従って表示用液晶ライトバルブ１７Ｒ１，１７Ｇ１，１７Ｂ１を駆動する。これにより、光源装置１１から射出された光は、調光用液晶ライトバルブ１７Ｒ２，１７Ｇ２，１７Ｂ２によって調光され、表示用液晶ライトバルブ１７Ｒ１，１７Ｇ１，１７Ｂ１によって、第２の画像情報に応じた画像光に変調され、この画像光が投写レンズ１９から投写される。
【００６９】
次に、プロジェクター１のライトバルブ制御部４０が、１フレームまたは１サブフレーム毎に行う処理について、フローチャートを用いて説明する。
図６は、プロジェクター１のライトバルブ制御部４０が行う処理のフローチャートである。
【００７０】
ライトバルブ制御部４０は、調光用液晶ライトバルブの各調光画素について、ステップＳ１０１からステップＳ１０６までの処理を繰り返す（ループ１）（ステップＳ１０１）。
【００７１】
まず、調光情報決定部４２が、注目調光画素の照明範囲ＳＡの表示画素に対応する第１の画像情報の最大値（特徴量）Ｆ（ｍ，ｎ）を算出する（ステップＳ１０２）。そして、調光情報決定部４２は、当該最大値を、調光用液晶ライトバルブの注目調光画素の画素値（調光量）Ａ（ｍ，ｎ）とする（ステップＳ１０３）。そして、ステップＳ１０１に戻り、次の調光画素を注目調光画素として、処理を繰り返す（ステップＳ１０４）。
【００７２】
このように、調光用液晶ライトバルブの全ての調光画素について、画素値（調光量）Ａ（ｍ，ｎ）を決定する。この画素値（調光量）が、調光情報に相当する。
【００７３】
次に、ライトバルブ制御部４０は、表示用液晶ライトバルブの各表示画素について、ステップＳ１０５からステップＳ１０９までの処理を繰り返す（ループ２）（ステップＳ１０５）。
【００７４】
まず、照明値算出部４３は、表示用液晶ライトバルブの注目表示画素（ｉ，ｊ）に照明が到達する調光画素を、調光用液晶ライトバルブの全調光画素の中から抽出する（ステップＳ１０６）。そして、抽出した各調光画素と照明強度Ｓ（ｉ，ｊ，ｍ，ｎ）とによって、表示用液晶ライトバルブの注目表示画素が照明される照明値Ｌ（ｉ，ｊ）を算出する（ステップＳ１０７）。
【００７５】
画像情報生成部４４は、第１の画像情報の該当する画素値を算出された照明値で除算し、表示用液晶ライトバルブの注目表示画素に設定する画素値（第２の画像情報）Ｏｕｔ＿Ｐ１（ｉ，ｊ）を算出する（ステップＳ１０８）。そして、ステップＳ１０５に戻り、次の表示画素を注目表示画素として、処理を繰り返す（ステップＳ１０９）。
【００７６】
全ての表示画素について処理が終了したら、ライトバルブ制御部４０が１フレームまたは１サブフレーム毎に行う処理を終了する。そして、本処理は、次のフレームまたはサブフレームについて、繰り返し実行される。本処理で生成された調光用液晶ライトバルブの各調光画素値（調光量）Ａ（ｍ，ｎ）、および、表示用液晶ライトバルブの各表示画素値（第２の画像情報）Ｏｕｔ＿Ｐ１（ｉ，ｊ）は、それぞれ、調光液晶駆動部１１０ｂ、および、表示液晶駆動部１１０ａに出力される。そして、調光用液晶ライトバルブ、および、表示用液晶ライトバルブが、画素値に応じて駆動される。
【００７７】
上述した実施形態によれば、以下の効果が得られる。
（１）プロジェクター１は、表示画素を有する表示用液晶ライトバルブ１７Ｒ１，１７Ｇ１，１７Ｂ１と、調光画素を有する調光用液晶ライトバルブ１７Ｒ２，１７Ｇ２，１７Ｂ２とを備える。プロジェクター１は、調光画素を通過した光が照明する表示用液晶ライトバルブ上の照明範囲の表示画素に対応する第１の画像情報の画素値の最大値を、調光用液晶ライトバルブの当該調光画素の画素値（即ち、調光量（調光情報））Ａ（ｍ，ｎ）として調光する。これにより、各調光画素からの照明光の照明範囲に対応する第１の画像情報の画素値に基づいて、調光用液晶ライトバルブの各調光画素は、好適な調光を行うことが可能になる。例えば、第１の画像情報に明るい画素が存在する場合には、その明るさを再現するように調光を行うため、有益である。
【００７８】
（２）プロジェクター１は、調光画素値（調光量）Ａ（ｍ，ｎ）と照明強度Ｓ（ｉ，ｊ，ｍ，ｎ）の分布情報とに基づいて、表示用液晶ライトバルブの表示画素毎に到達する光の照明値Ｌ（ｉ，ｊ）を算出する。そして、第１の画像情報Ｉｎ＿Ｐ１（ｉ，ｊ）を、表示画素毎の照明値Ｌ（ｉ，ｊ）によって除算することによって、表示用液晶ライトバルブに設定するための第２の画像情報Ｏｕｔ＿Ｐ１（ｉ，ｊ）を生成する。これにより、調光用液晶ライトバルブからの照明光が考慮された、第２の画像情報Ｏｕｔ＿Ｐ１（ｉ，ｊ）を生成することができる。つまり、照明光を考慮しつつ、入力された第１の画像情報Ｉｎ＿Ｐ１（ｉ，ｊ）にほぼ忠実な階調表現を実現することが可能になるため、有益である。
【００７９】
（３）プロジェクター１は、表示用液晶ライトバルブ１７Ｒ１，１７Ｇ１，１７Ｂ１と、調光用液晶ライトバルブ１７Ｒ２，１７Ｇ２，１７Ｂ２とを備え、調光用液晶ライトバルブによって、表示用液晶ライトバルブに入射する光の明るさを制御することができるため、入力される第１の画像情報（映像信号）を高いコントラストで再現することができるため、有益である。
【００８０】
（４）プロジェクター１は、調光用液晶ライトバルブ１７Ｒ２，１７Ｇ２，１７Ｂ２の調光画素を通過した光が、表示用液晶ライトバルブ１７Ｒ１，１７Ｇ１，１７Ｂ１の表示画素を照明する照明範囲ＳＡ、および、照明強度Ｓを照明分布記憶部４１に記憶する。この照明範囲ＳＡおよび照明強度Ｓは、各調光用液晶ライトバルブと対応する表示用液晶ライトバルブの配置関係によって定まるものであり、製品の開発時に予め測定を行い、照明分布記憶部４１に記憶する。このような照明範囲ＳＡおよび照明強度Ｓは、製品の装置構成（調光用液晶ライトバルブと表示用液晶ライトバルブとの距離、調光用液晶ライトバルブと表示用液晶ライトバルブ間の光学素子、照明光の入射角特性等）によって変化することが考えられる。本実施形態では、製品の装置構成の変更に対して、照明分布記憶部４１を書き換えることによって、対応することが可能になるため有益である。
【００８１】
上述したように、調光画素を通過した光は、広がって表示用液晶ライトバルブに到達する。このため、それぞれの照明範囲ＳＡは、隣り合う他の照明範囲ＳＡと部分的に重なる。つまり、照明範囲ＳＡが部分的に重なる領域（または当該領域に含まれる表示画素）は、隣り合う少なくとも２つの調光画素によって共通に照明されることとなる。調光画素（ｍ，ｎ）の調光量Ａ（ｍ，ｎ）として照明範囲ＳＡに含まれた表示画素の最大輝度（最大階調）を採用する設定において、照明範囲ＳＡが部分的に重なる領域内の少なくとも一部領域の階調が、第１の画像信号によって、第１の画像信号またはライトバルブの１フレーム期間内または１サブフレーム期間内（つまり１垂直期間）で最大階調であると指定される場合には、上記式（２）および（３）によって、当該領域を共通に照明する少なくとも２以上の調光画素（ｍ，ｎ）の調光量Ａ（ｍ，ｎ）のいずれもが、調光用液晶ライトバルブに含まれる調光画素のうちでの最大階調にセットされる。
【００８２】
ここで、一部領域は、１つの表示画素を含んでもよいし、複数の表示画素を含んでもよい。一部領域の階調が上記期間内で最も高い場合に、当該一部領域の階調が、下記変形例１で述べるようなノイズでないことを判別することが好ましい。たとえば、当該一部領域の階調とその周囲の領域の階調との差、または当該一部領域の階調と前後フレーム（一方でもよい）における当該一部領域の階調との差に応じて、当該一部領域を共通に照明する調光画素の調光量Ａ（ｍ，ｎ）を上記最大階調とするか否かを判断することが好ましい。
【００８３】
なお、上述した実施形態に限定されず、種々の変更や改良等を加えて実施することが可能である。変形例を以下に述べる。
【００８４】
（変形例１）上記実施形態では、調光情報決定部４２が使用する特徴量は、第１の画像情報の最大値としたが、必ずしも最大値でなくてもよい。例えば、暗い画面領域に明るい画素がノイズとして入っている場合がある。このような場合、特徴量を最大値としてしまうと、黒色が浮いてしまう場合がある。このため、必ずしも特徴量を最大値としなくてもよい。例えば、特徴量を最大値の画素値の９０％としてもよいし、平均値とすることも可能である。また、特徴量を、最大値から何番目かの画素値としてもよい。例えば、３番目の画素値としてもよい。また、第１の画像情報（映像信号）から赤色光ＬＲ、緑色光ＬＧ、青色光ＬＢの各色のヒストグラム（出現度数分布）を取り出すヒストグラム検出部（図示せず）を有して、度数分布に基づいて、特徴量を決定してもよい。
【００８５】
（変形例２）プロジェクター１は、ノイズリダクション回路（図示せず）を有するものとしてもよい。そして、ライトバルブ制御部４０に入力される第１の画像情報にノイズリダクションを掛けて、ノイズを除去することで、調光情報決定部４２が使用する特徴量を第１の画像情報の最大値としてもよい。
【００８６】
（変形例３）上記実施形態では、照明部は、光源装置１１および調光用液晶ライトバルブを含む構成としたが、例えばＬＥＤ（Light Emitting Diode）アレイのように一体となっている構成としてもよい。つまり、照明部が、ＬＥＤアレイであってもよい。
図７は、ＬＥＤアレイの斜視図である。図７に示すように、ＬＥＤアレイ５０は、発光部（ＬＥＤ）Ｌ１がマトリクス状に複数配置されて形成されている。このようなＬＥＤアレイ５０を、プロジェクター１の調光用液晶ライトバルブ１７Ｒ２，１７Ｇ２，１７Ｂ２の代わりに設置した構成としてもよい。また、画像表示装置がＦＰＤ（flat panel display）等である場合には、ＦＰＤの液晶パネル等の背面側に、このようなＬＥＤアレイ５０を照明部として設置した構成としてもよい。この場合は、ＬＥＤアレイ５０に含まれる複数の発光部Ｌ１のそれぞれが調光要素に相当する。
【００８７】
（変形例４）上記実施形態では、調光用液晶ライトバルブと表示用液晶ライトバルブとは、所定の距離を設けて設置されるものとしたが、赤色光用と緑色光用と青色光用の調光用液晶ライトバルブと表示用液晶ライトバルブとの間隔（距離）は、一致していなくてもよい。また、調光用液晶ライトバルブと表示用液晶ライトバルブの間に、光学素子（リレーレンズ）等を備えていてもよい。
【００８８】
（変形例５）上記実施形態では、照明分布記憶部４１には、予め照明範囲ＳＡおよび照明強度Ｓ（強度分布）が記憶されているものとしたが、制御部２０によって、照明範囲ＳＡおよび照明強度Ｓの書き込みや書き換えが可能な構成としてもよい。この場合、プロジェクター１は、図示しない通信部を備えて、外部機器から照明範囲ＳＡおよび照明強度Ｓの情報を受信して、制御部２０に通知する。
【００８９】
（変形例６）上記実施形態では、照明分布記憶部４１には、照明範囲ＳＡおよび強度分布の情報が、色光毎または１種類記憶されているものとしたが、調光用液晶ライトバルブの調光画素の位置に応じて切り替えるように、複数記憶していてもよい。
【００９０】
（変形例７）上記実施形態では、プロジェクター１を例にして説明しているが、画像表示装置は、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【００９１】
（変形例８）上記実施形態では、光源装置１１は、放電型の光源ランプ１１ａを有して構成されているが、ＬＥＤ光源やレーザー等の固体光源や、その他の光源を用いることもできる。
【００９２】
（変形例９）上記実施形態では、プロジェクター１は、第１の光変調装置として、透過型の液晶ライトバルブ１７Ｒ１，１７Ｇ１，１７Ｂ１を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。同様に、照明部に含まれる光変調装置として、透過型の液晶ライトバルブ１７Ｒ２，１７Ｇ２，１７Ｂ２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００９３】
１…プロジェクター、１０…画像投写部、１１…光源装置、１１ａ…光源ランプ、１１ｂ…リフレクター、１２ａ…第１フライアイレンズ、１２ｂ…第２フライアイレンズ、１３…偏光変換装置、１４ａ…ダイクロイックミラー、１４ｂ…ダイクロイックミラー、１５ａ，１５ｂ，１５ｃ…反射ミラー、１６ａ，１６ｂ，１６ｃ…リレーレンズ、１７…液晶ライトバルブ部、１７Ｒ１，１７Ｇ１，１７Ｂ１…表示用液晶ライトバルブ、１７Ｒ２，１７Ｇ２，１７Ｂ２…調光用液晶ライトバルブ、１８…クロスダイクロイックプリズム、１９…投写レンズ、２０…制御部、２１…操作受付部、３１…画像情報入力部、３２…画像処理部、４０…ライトバルブ制御部、４１…照明分布記憶部、４２…調光情報決定部、４３…照明値算出部、４４…画像情報生成部、５０…ＬＥＤアレイ、１１０ａ…表示液晶駆動部、１１０ｂ…調光液晶駆動部、ＳＣ…投写面。
【図１】
2015055815.tif 000003
【図２】
2015055815.tif 000004
【図３】
2015055815.tif 000005
【図４】
2015055815.tif 000006
【図５】
2015055815.tif 000007
【図６】
2015055815.tif 000008
【図７】
2015055815.tif 000009